(57)【特許請求の範囲】
【請求項１】
ケース本体底面に、除霜に伴い前記ケース本体からドレン管を通して流下するドレン水を貯留する蒸発皿と、該蒸発皿に貯留されたドレン水を吸収する蒸発マットと、前記蒸発皿に設けられたドレン水を排水するドレン水排出口と、からなる冷凍・冷蔵ショーケースのドレン処理装置において、
前記蒸発皿内を、ドレン水が貯留されるドレン水貯留部と、蒸発マットが侵漬されるマット侵漬部とに区分し、前記ドレン管およびドレン水排出口を、前記ドレン水貯留部に寄せて配設し、前記蒸発皿は、少なくとも底面が前記ドレン水排水口側に向けて下り勾配になるよう設けられて、ドレン水排水口側と反対側となる前記下り勾配の上位置側に蒸発マットが設置されていることを特徴とする冷凍・冷蔵ショーケースのドレン処理装置。
【請求項２】
前記蒸発皿は、引出し可能に設けられるとともに、前記マット侵漬部が蒸発皿の奥側に設置され、少なくとも蒸発マットの手前側がドレン水貯留部となっている請求項１に記載の冷凍・冷蔵ショーケースのドレン処理装置。
【発明の詳細な説明】
【０００１】
【発明の属する技術分野】
本発明は、冷凍・冷蔵ショーケースのドレン処理装置の改良に関する。
【０００２】
【従来の技術】
周知のように、冷凍・冷蔵ショーケースは、保冷運転に伴って庫内に配した冷却器に霜が発生することから、１日に１〜２回程度除霜を行って冷却器に付着している霜を溶かし、除霜により生じたドレン水をケース本体から可搬式排水タンクに排出して処理されている。
【０００３】
詳しくは、ケース本体から排出されて直接可搬式排水タンクに導びかれ、排水タンクが満水状態となるとショーケースから取出して外部に排水するようになっている。
【０００４】
このような従来の構成によると、除霜に伴ってショーケース内で生成されるドレン水は、店内の周囲温度、湿度などの環境条件によって大きく変化するために、高温、多湿な店内環境では、１回の除霜で１０リットルを越えて多量にドレン水が発生することがあり、排水タンクが満水状態を越えてこの排水タンクに収容し切れないドレンが排水タンクから溢れ出て店内の床面を濡らすおそれがある。
【０００５】
加えて、排水タンクの収容容量が限られていることから、湿気の多い夏期ではドレン水の発生する量が多く、１日に何回も排水タンクをショーケースから取出して排水処理を行わなければならず、ドレン水の排水処理に要する労力の負担が大きくなる問題を有していた。
【０００６】
このような問題点を解決したものとして、例えば特開平１０−２８１６２７号公報に示される技術が知られている。以下、この公報に開示される技術につき説明する。
【０００７】
図５の（ａ）は、従来のドレン処理装置であって冷凍・冷蔵ショーケースの一部断面を示す正面図、（ｂ）は（ａ）Ａ−Ａ断面図である。
【０００８】
すなわち、図５に示されるように、０１は冷凍・冷蔵ショーケースの本体（以下ケース本体と称する）、０２はケース本体０１の基台を示し、基台０２の内部には蒸発皿０４が可搬式排水タンク０５と並べてその上方位置に配置され、この蒸発皿０４には、ケース本体０１から引出したドレン管０３が開口されており、図示しないドレン水が貯留した蒸発皿０４の内部には、下端側をレン水に侵漬した多数枚の蒸発マット０６が平行に並べて直立姿勢で布設されている。
【０００９】
この蒸発マット０６は、吸水性の高い紙、または布製のマット等で構成されており、蒸発皿０４の先端にはオーバーフロー排水口０７が排水タンク０５のドレン回収口０５ａに向けて開口している。
【００１０】
このように構成することによって、蒸発皿０４内のドレン水が毛細管現象によって蒸発マット０６に吸い上げられ、液面上に露呈しているマット面から蒸発して周囲に拡散するとともに、蒸発マット０６で吸い上げきれない余剰のドレン水は、オーバーフロー排水口０５ａから排水タンク０５の中へと収容される。
【００１１】
更に、蒸発皿０４の背後に送風ファンＦが配置され、送風ファンＦからマット面に向けて吹き出される風によって蒸発マット０６に吸い上げられたドレン水の蒸発が促進されるようになっている。
【００１２】
【発明が解決しようとする課題】
ところが、この種の従来のドレン処理装置では、ケース本体から排出されるドレン水を蒸発皿０４内に排出するドレン管０３と、蒸発皿０４のオーバーフロー排水口０７の間に蒸発マット０６が布設された構成となっている。
【００１３】
従って、ドレン管０３から蒸発皿０４内に排出されたドレン水内に含まれるゴミなどが蒸発マット０６を通過する際にこの蒸発マット０６付着してしまい、この付着物がドレン水の流れを阻害するため、蒸発マット０６の上流側のドレン水が滞留する結果となる。そのため、蒸発皿０４や蒸発マット０６の清掃を頻繁に行わなければならないことになり、ドレン水の排水処理に要する労力の負担は解消されないといった問題を有していた。
【００１４】
本発明は、上記問題点を解決するためになされたもので、基台内部のケース本体から排出されるドレン水がオーバーフロー排水口へ向けてスムースに流れると共に、ドレン水内に含まれるゴミなどが蒸発マットに付着することのない冷凍・冷蔵ショーケースのドレン処理装置を提供することを目的としている。
【００１５】
【課題を解決するための手段】
上記の目的を達成するために、本発明の冷凍・冷蔵ショーケースのドレン処理装置は、ケース本体底面に、除霜に伴い前記ケース本体からドレン管を通して流下するドレン水を貯留する蒸発皿と、該蒸発皿に貯留されたドレン水を吸収する蒸発マットと、前記蒸発皿に設けられたドレン水を排水するドレン水排出口と、からなる冷凍・冷蔵ショーケースのドレン処理装置において、
前記蒸発皿内を、ドレン水が貯留されるドレン水貯留部と、蒸発マットが侵漬されるマット侵漬部とに区分し、前記ドレン管およびドレン水排出口を、前記ドレン水貯留部に寄せて配設し、前記蒸発皿は、少なくとも底面が前記ドレン水排水口側に向けて下り勾配になるよう設けられて、ドレン水排水口側と反対側となる前記下り勾配の上位置側に蒸発マットが設置されていることを特徴としている。
上記構成の発明によると、ドレン管を通して流下するドレン水内に含まれるゴミなどが、蒸発マットを通過せずにドレン水貯留部に溜まり、ここからドレン水排出口に向かうため、結果的に蒸発マットにゴミ等が付着せず、長期に亘って蒸発機能を維持することができる。また蒸発マットに付着したゴミ等が下り勾配を伝わってドレン水貯留部に溜まり、ゴミの清掃性を更に向上することができる。
【００１６】
上記冷凍・冷蔵ショーケースのドレン処理装置において、前記蒸発皿が、引出し可能に設けられるとともに、前記蒸発マットが蒸発皿の奥側に設置され、少なくとも蒸発マットの手前側がドレン水貯留部となっていることが好ましい。
上記構成の発明によると、蒸発皿内に排出されたドレン水を溜めるドレン貯留部が、少なくとも蒸発マットが布設される手前側に形成されているので、ドレン水内に含まれるゴミなどが蒸発皿手前側のドレン水貯留部に貯留し、蒸発皿を手前側に引き出すだけで容易にゴミの清掃を行うことができる。
【００１８】
【発明の実施の形態】
以下、本発明の一実施形態を図面に基づいて説明する。図１は本発明の第１の実施形態に係るドレン処理装置を示し、（ａ）はドレン処理装置が設置されるショーケース本体の基台の断面図、（ｂ）はショーケース本体の基台の平面図であり、図２はドレン処理装置の斜視図である。
【００１９】
先ず図１には、本発明のドレン処理装置３が示されており、この本発明のドレン処理装置３は、冷凍・冷蔵ショーケース本体１（以下ショーケース本体と称する）の基台２内に設置されている。
【００２０】
このドレン処理装置３は、保冷運転に伴ってショーケース本体１の庫内に配した冷却器４に発生した霜を溶かし、この除霜により生じたドレン水を排水タンクに収容して排水処理するものである。
【００２１】
すなわち、ドレン処理装置３は、ショーケース本体１の底面１ａに取付けられた箱形の支持枠５と、この支持枠５に支持され、ショーケース本体１の底面１ａからドレン管７を通して流下するドレン水を貯留し、この貯留されたドレン水を可搬式排水タンク１０に排出すべく下方に向けて直角に折曲されたパイプからなるドレン水排水口９を手前側に配した蒸発皿６とで構成されている。
【００２２】
支持枠５は、板金により一体に形成されており、ショーケース本体１の底面１ａに取付けられる天板１１と、この天板１１の後端から下方に折曲形成した垂直の背板１２と、この背板１２の下端部を手前側に水平に折曲し両側に規制板１３を設けた受部１４と、ドレン管７を挿通するために天板１１の前端に形成された角形の切欠き１５と、この切欠き１５を挟んで前端両側から下方に垂下した一対の帯状体１６ａと帯状体１６ａ下端に前方に折曲形成した水平な舌片１６ｂとからなる懸吊体１６とから構成されている。
【００２３】
図２に示される蒸発皿６は、ドレン水排出口１７が断面円弧状に形成され、開口する上面の手前側端部の両側には、前記両帯状体１６ａ下端の舌片１６ｂに対応する係止部１８ａ、１８ｂが形成されている。
【００２４】
この蒸発皿６は、前端の係止部１８ａ、１８ｂが支持枠５前方に形成される両懸吊体１６下端の舌片１６ｂに係止され、後端側の両側面が規制板１３に規制された状態で底面が受部１４に支持されて手前側に引出し可能に構成されている。そして、蒸発皿６の蒸発マット８が布設されていない手前側の底面には着脱可能な栓体により密封されたドレン水排出口１９が設けられている。
【００２５】
更に詳しくは、この蒸発皿６は、ドレン水が貯留されるドレン水貯留部Ｒと、蒸発マットが侵漬されるマット侵漬部Ｍとに区分されており、マット侵漬部Ｍには、吸水性の高い紙材または布状の板材を多数枚平行に並べて組立られた蒸発マット８が配設され、蒸発マット８の下端が、蒸発皿６内部に貯留されているドレン水に侵漬されるよう蒸発皿６の底面に載置されて直立姿勢で布設されており、蒸発面積を広くとるために蒸発皿６の上方に高く延設されている。
【００２６】
蒸発皿６は、蒸発マット８が布設されるマット侵漬部Ｍが奥側に設けられており、蒸発マット８が布設されていない手前側の領域はドレン水が貯留されるドレン水貯留部Ｒとして区分され、このドレン水貯留部Ｒに寄せてドレン管７およびドレン水排出口１７が配設されている。手前側前方に形成されたドレン水排出口１７とドレン管７との間でドレン水を流下するように形成されている。
【００２７】
次に上記のように構成された本発明のドレン処理装置の作用につき説明する。
【００２８】
図３の（ａ）は、ドレン処理装置の蒸発皿にドレン水が貯留される状態を示す説明図であり、（ｂ）は蒸発皿の清掃時に手前側に引出し操作される状態を示す説明図である。
【００２９】
先ず、冷凍・冷蔵ショーケース１の保冷運転に伴って庫内に配した冷却器４に霜が発生すると、１日に１〜２回程度の除霜が行われ、冷却器４に付着している霜が溶解されてドレン水が生成される。
【００３０】
図３の（ａ）に示されるように、ドレン水は、ショーケース本体１の底面１ａからドレン管７を通して蒸発皿６内のドレン水貯留部Ｒに貯留され、貯留されたドレン水は、マット侵漬部Ｍに配設された蒸発マット８の下端から毛細管現象により吸い上げられて上方に移動し、多数の蒸発面から蒸発される。
【００３１】
また、蒸発皿６内に貯留されたドレン水が所定量に達すると、ドレン水排出口１７から溢流したドレン水は、ドレン回収口１０ａを通して蒸発皿６の下方に配置された可搬式排水タンク１０に収容される。
【００３２】
次に、蒸発皿６の内部を清掃する際は、図３の（ｂ）に示されるように、ドレン水排出口１９の栓体を開栓して、貯留されているドレン水を可搬式排水タンク１０内に排出し、可搬式排水タンク１０を外に引き出した上で、蒸発皿６を手前側から外に引き出し、ドレン水貯留部Ｒの底面上に堆積したゴミなどの清掃が行われることとなる。
【００３３】
このようにすると、ショーケース本体１の底面１ａから排出されて蒸発皿６内に貯留されたドレン水は、蒸発マット８の蒸発面から蒸発されるので、可搬式排水タンク１０に収容されるドレン水が減量し、可搬式排水タンク１０による排水処理回数を軽減することができる。
【００３４】
また、ドレン管７およびドレン水排出口１７が、ドレン水貯留部Ｒに寄せて配設されているので、ドレン管７を通して流下するドレン水内に含まれるゴミなどが、蒸発マット８を通過せずにドレン水貯留部Ｒに溜まり、ここからドレン水排出口１７に向かうため、結果的に蒸発マット８にゴミ等が付着せず、長期に亘って蒸発機能を維持することができる。
【００３５】
更に、蒸発皿６内に排出されたドレン水を溜めるドレン貯留部Ｒが、少なくとも蒸発マット８が布設される手前側に形成されているので、蒸発皿６を手前側に引き出すだけで容易にゴミの清掃を行うことができる。
【００３６】
次に、本発明の冷凍・冷蔵ショーケースのドレン処理装置の第２実施形態につき説明する。図４は本発明の第２実施形態に係るドレン処理装置の部分断面を示す側面図である。尚、上述した実施形態に示される構成部分と同一構成部分については、同一符号を付し重複する説明を省略する。
【００３７】
本実施形態に係る蒸発皿は、底面がドレン水排出口１７側に向けて下り勾配になるよう設けられたもので、蒸発皿６の底面はドレン水排出口１７側に向けて例えば勾配Ｘで構成されている。この勾配Ｘで蒸発皿６を設置するために、支持枠２１前方に形成される懸吊体２２の帯状体２３ａ下端の舌片２３ｂを若干下方に延設させてある。
【００３８】
このように構成されたドレン処理装置では、蒸発マット８に付着したゴミ等が下り勾配を伝わってドレン水貯留部Ｒに溜まり、ゴミの清掃性を更に向上することができる。
【００３９】
以上、本発明の実施例を図面により説明してきたが、具体的な構成はこれら実施例に限られるものではなく、本発明の要旨を逸脱しない範囲における変更や追加があっても本発明に含まれる。
【００４０】
【発明の効果】
本発明によれば、次のような効果が得られる。
【００４１】
（ａ）請求項１に記載の発明によれば、ドレン管を通して流下するドレン水内に含まれるゴミなどが、蒸発マットを通過せずにドレン水貯留部に溜まり、ここからドレン水排出口に向かうため、結果的に蒸発マットにゴミ等が付着せず、長期に亘って蒸発機能を維持することができる。また蒸発マットに付着したゴミ等が下り勾配を伝わってドレン水貯留部に溜まり、ゴミの清掃性を更に向上することができる。
【００４２】
（ｂ）請求項２に記載の発明によれば、蒸発皿内に排出されたドレン水を溜めるドレン貯留部が、少なくとも蒸発マットが布設される手前側に形成されているので、ドレン水内に含まれるゴミなどが蒸発皿手前側のドレン水貯留部に貯留し、蒸発皿を手前側に引き出すだけで容易にゴミの清掃を行うことができる。
【図面の簡単な説明】
【図１】本発明の第１の実施形態に係るドレン処理装置を示し、（ａ）はドレン処理装置が設置されるショーケース本体の基台の断面図、（ｂ）はショーケース本体の基台の平面図である。
【図２】ドレン処理装置の斜視図である。
【図３】（ａ）は、ドレン処理装置の蒸発皿にドレン水が貯留される状態を示す説明図であり、（ｂ）は蒸発皿の清掃時に手前側に引出し操作される状態を示す説明図である。
【図４】本発明の第２実施形態に係るドレン処理装置の部分断面を示す側面図である。
【図５】（ａ）は、従来のドレン処理装置であって冷凍・冷蔵ショーケースの一部断面を示す正面図、（ｂ）は（ａ）Ａ−Ａ断面図である。
【符号の説明】
１              ケース本体（冷凍・冷蔵ショーケース）
１ａ            底面
２              基台
３              ドレン処理装置
４              冷却器
５              支持枠
６              蒸発皿
７              ドレン管
８              蒸発マット
９              ドレン水排出口
１０            可搬式排水タンク
１０ａ          ドレン回収口
１１            天板
１２            背板
１３            規制板
１４            受部
１６            懸吊体
１６ａ          帯状体
１６ｂ          舌片
１７            ドレン水排出口
１８ａ、１８ｂ  係止部
１９            ドレン水排出口
２１            支持枠
２２            懸吊体
２３ａ          帯状体
２３ｂ          舌片
Ｆ              送風ファン
Ｍ              マット侵漬部
Ｒ              ドレン水貯留部
Ｘ              勾配
【図１】
0004627347.tif 000002
【図２】
0004627347.tif 000003
【図３】
0004627347.tif 000004
【図４】
0004627347.tif 000005
【図５】
0004627347.tif 000006